(57)【要約】      （修正有）【課題】コンパクトで卓上電動工具を支持する安定している卓上電動工具用折畳式スタンドの提供。【解決手段】スタンドは、中心軸線の周りで離間され且つ複数の横部材によって回動可能に相互接続された複数の脚を含む。各々の脚は、電動工具を支持するための上端と、スタンドの展開姿勢の際に下に横たわる支持表面に接触するための下端とを有する。スタンドは折り畳み可能であり、脚及び横部材の各々が中心軸線に平行な配向の方に移動するにつれて、脚及び横部材は中心軸線の方に集合的に収束する。【選択図】    図１
2005131780.tif 000002
【特許請求の範囲】
【請求項１】
複数の脚を具備する、卓上電動工具用折畳式スタンドであって、
前記複数の脚が、スタンドの中心軸線の周りで離間され、また各々の脚が、上端と下端とを有し、各々の脚上端が電動工具を支持するように適合し、各々の脚下端が、スタンドの展開姿勢の際に、下に横たわる支持表面に接触するための足部を形成し、各々の連続する対の脚が横部材によって相互接続される、卓上電動工具用折畳式スタンドにおいて、
スタンドが、電動工具を支持するための姿勢に展開可能であり、また脚及び横部材の各々が中心軸線に平行な配向の方へ移動するとき脚及び横部材が中心軸線の方に集合的に収束するようにスタンドが折り畳み可能である、卓上電動工具用折畳式スタンド。
【請求項２】
フック／ループ式材料で作られたストラップを更に具備する請求項１に記載の折畳式スタンドであって、ストラップが、第一端と遠位第二端とを有し、前記第一端が脚又は横部材の一つに取り付けられる第一端であり、前記遠位第二端が、折り畳まれた脚及び横部材の周りに横に巻きつくための遠位第二端であって、折り畳まれた配向のときにストラップ内でスタンドを締め付けるべく第一端に付着するための遠位第二端である、折畳式スタンド。
【請求項３】
複数の脚の少なくとも二つが、スタンドの展開姿勢の際に各々が互いに概ね平行であり、且つスタンドの折り畳み姿勢の際に互いに概ね平行である、請求項１に記載の折畳式スタンド。
【請求項４】
複数の脚が、少なくとも四本の傾斜脚を更に具備し、また横部材が少なくとも四本の横部材を更に具備する、請求項１に記載の折畳式スタンド。
【請求項５】
脚上端の少なくとも二つが、電動工具に形成された穴の中に受容されるように大きさを定められた突出部を含む、請求項１に記載の折畳式スタンド。
【請求項６】
脚上端突出部の少なくとも一つが、電動工具をスタンドにロックするために、電動工具と協働するロック機構を含む、請求項５に記載の折畳式スタンド。
【請求項７】
複数の脚が少なくとも四本の脚からなり、また横部材が少なくとも六本の横部材からなる、請求項１に記載の折畳式スタンド。
【請求項８】
少なくとも四本の脚が、少なくとも二本の縦方向脚と、少なくとも二本の傾斜脚とからなる、請求項７に記載の折畳式スタンド。
【請求項９】
少なくとも四本の脚が、少なくとも四本の縦方向脚からなり、また少なくとも六本の横部材が、少なくとも八本の横部材からなる、請求項７に記載の折畳式スタンド。
【請求項１０】
複数の脚と複数の横部材とを具備する、卓上電動工具用折畳式スタンドであって：
前記複数の脚が、スタンドの中心軸線の周りで離間され、また各々の脚が、上端と下端とを有し、各々の脚上端がそこに電動工具を支持するように適合し、各々の脚下端が、スタンドの展開姿勢の際に、下に横たわる支持表面に接触するための足部を形成し；
前記複数の横部材の各々が、展開姿勢の際に中心軸線に対して概ね傾けられ、各横部材が、脚上端の一つに回動可能に接続され、各横部材が、足部の一つに作動可能に接続され、また各横部材が、電動工具を支持するスタンドの展開を容易にするために、並びに脚及び横部材が中心軸線に平行な配向の方へ各々移動するとき脚及び横部材が中心軸線の方に集合的に収束する形で、スタンドの折り畳みを容易にするために、隣接する横部材に回動可能に接続される；卓上電動工具用折畳式スタンド。
【請求項１１】
脚上端の少なくとも一つが、電動工具をスタンドへロックするために電動工具と協働するロック機構を含む、請求項１０に記載の折畳式スタンド。
【請求項１２】
卓上電動工具と折畳式スタンドとを具備する卓上電動工具組立体であって：
前記卓上電動工具が、周辺端部付近に形成された一連の第一取付構造体を有し；
前記折畳式スタンドが、電動工具の第一取付構造体を受容するための、中心軸線の周りに離間された一連の第二取付構造体を有し、該スタンドが、スタンドの展開姿勢の際に構造的な支持を電動工具に提供するために、一連の第二取付構造体に作動可能に接続された複数の脚及び傾斜した横部材を有する、卓上電動工具組立体において；
横部材が、一連の第二取付構造体に回動可能に接続され、また隣接する横部材が、横部材と脚とが中心軸線の方に集合的に折り畳まれることを可能にするために互いに回動可能に接続され、そのことにより脚と横部材とが夫々中心軸線に平行な配向の方へ移動する；卓上電動工具組立体。
【請求項１３】
卓上電動工具が、可搬式のこぎり盤としてさらに規定される、請求項１２に記載の卓上電動工具組立体。
【請求項１４】
複数の脚及び横部材が、少なくとも四本の脚及び少なくとも六本の横部材としてさらに規定される、請求項１２に記載の卓上電動工具組立体。
【請求項１５】
フック／ループ式材料で作られたストラップを更に具備する請求項１２に記載の卓上電動工具組立体であって、ストラップが、第一端と遠位第二端とを有し、前記第一端が脚又は横部材の一つに取り付けられた第一端であり、前記遠位第二端が、折り畳まれた脚及び横部材の周りに横に巻きつくための遠位第二端であって、折り畳まれた配向の際にストラップ内でスタンドを締め付けるべく第一端に付着するための遠位第二端である、卓上電動工具組立体。
【請求項１６】
フック／ループ式材料で作られたストラップを更に具備する請求項１２に記載の卓上電動工具組立体であって、ストラップが、第一端と遠位第二端とを有し、前記第一端が電動工具に取り付けられた第一端であり、前記遠位第二端が、折り畳まれた脚及び横部材の周りに横に巻きつくための遠位第二端であって、折り畳まれた配向の際に、ストラップ内でスタンドを締め付けるため、及びスタンドを電動工具に確保するために第一端に付着するための遠位第二端である、卓上電動工具組立体。
【請求項１７】
折り畳まれたスタンドを中で保持するためのネストを電動工具が含む、請求項１２に記載の電動工具組立体。
【請求項１８】
複数の脚の少なくとも二本の各々が、スタンドの展開姿勢のときに互いに概ね平行であり、且つスタンドの折り畳まれた姿勢のときに互いに概ね平行である、請求項１２に記載の卓上電動工具組立体。
【請求項１９】
一連の第二取付構造体の少なくとも一つが、電動工具をスタンドにロックするために電動工具と協働するロック機構を含む、請求項１２に記載の卓上電動工具組立体。
【請求項２０】
のこぎり盤基部と、テーブル上板と、のこ刃と、折畳式スタンドとを具備する可搬式卓上のこぎり盤組立体であって：
前記のこぎり盤基部が、のこぎり盤基部内に配置されたモーターと該モーターによって駆動されるスピンドルとを有し、のこぎり盤基部が、その中に形成された一連の穴であって下方の周辺端部付近に配置された一連の穴を有するのこぎり盤基部であり；
前記テーブル上板が、その上に加工物を支持するために、基部の下方周辺端部から離間されて、基部の最上部に取り付けられたテーブル上板であり；
前記のこ刃が、スピンドルに取り付けられてスピンドルによって駆動され、またテーブル上板を貫通して形成された開口をとおして延びるのこ刃であり；
前記折畳式スタンドが、一連のピボットブロックと一連のリンク棒とを有する、その展開姿勢においてのこぎり盤基部を支持する折畳式スタンドであって：
前記一連のピボットブロックが、のこぎり盤基部の一連の穴の一つの中に受容されるように大きさを定められた突出部であってピボットブロックから延びる突出部を各々が有する一連のピボットブロックであり；
前記一連のリンク棒が、一連のピボットブロックの一つに回動可能に接続された上端と、中間部位と、下端とを各々が有する一連のリンク棒である；可搬式テーブルのこぎり盤組立体において；
各ピボットブロックが、一対の連続するリンク棒第一端に回動可能に接続され、各リンク棒中間部位が、隣接するリンク棒の中間部位に回動可能に接続され、またリンク棒下端が、スタンドとのこぎり盤基部とを支持するための足部を形成し、またリンク棒が、夫々傾いた配向から中心軸線の方へ及び中心軸線にほぼ平行な配向の方へ集合的に収束するように協働する；可搬式卓上のこぎり盤組立体。
【請求項２１】
一連のロック機構をさらに具備する、請求項２０に記載の可搬式卓上のこぎり盤組立体であって、前記一連のロック機構の各々が、一連ののこぎり盤基部の穴の一つ、及び対応するピボットブロック突出部と協働して、前記穴と突出部との間の係合を維持する、可搬式卓上のこぎり盤組立体。
【請求項２２】
各々のリンク棒下端が、連続するリンク棒下端に作動可能に接続される、請求項２０に記載の可搬式卓上のこぎり盤組立体。
【請求項２３】
一対の連続するリンク棒下端が、共通のピボットブロックに回動可能に接続される、請求項２２に記載の可搬式卓上のこぎり盤組立体。
【請求項２４】
スタンドが複数の縦方向脚をさらに具備する請求項２０に記載の可搬式卓上のこぎり盤組立体であって、各々の縦方向脚が、ピボットブロックに取り付けられ、また一対の連続するリンク棒下端に作動可能に接続される、可搬式卓上のこぎり盤組立体。
【請求項２５】
縦方向脚が、スタンドの展開姿勢及び折り畳み姿勢において、各々が互いに概ね平行である、請求項２４に記載の可搬式卓上のこぎり盤組立体。
【請求項２６】
縦方向脚が、スタンドの展開姿勢のときに、各々が互いに概ね平行であり、また縦方向脚が、スタンドの折り畳み姿勢のときに、各々が互いに平行であり且つリンク棒に概ね平行である、請求項２４に記載の可搬式卓上のこぎり盤組立体。
【請求項２７】
スタンドが複数の滑動ブロックをさらに具備する請求項２４に記載の可搬式卓上のこぎり盤組立体であって、前記複数の滑動ブロックが、複数の縦方向脚の一本に滑動可能に各々係合され、また対応する一対の連続するリンク棒下端に回動可能に各々接続される、可搬式卓上のこぎり盤組立体。
【請求項２８】
一連の取付構造体と、リンク棒の複数の対とを具備する卓上電動工具用折畳式スタンドであって：
前記一連の取付構造体の各々がその上に、スタンドの展開姿勢のときに電動工具の一部を受容して支持するように適合され、各々の連続する対の取付構造体が、電動工具の多角形の周囲をめぐって形成された周辺端部に概ね整列され；
前記リンク棒の複数の対は、各々の対が、電動工具の多角形の周囲の一面を含む平面内にほぼ存在し、各々のリンク棒が、周囲の夫々の面に関連する二つの取付構造体のただ一つにだけ回動可能に接続され、一対のリンク棒の各々が、対向する取付構造体から離間しかつ対向する取付構造体に整列する配向で夫々の取付構造体から延在し、一対のリンク棒が、折畳式スタンドの均一な展開と収縮を容易にするために回動可能に接続される；卓上電動工具用折畳式スタンド。
【発明の詳細な説明】
【技術分野】
【０００１】
本発明は、折畳式スタンド、特に卓上電動工具用折畳式スタンドに関するものである。
【背景技術】
【０００２】
先行技術は、卓上電動工具を支持するための様々なスタンドを教示する。先行技術のスタンドは、可搬性と移動性とを高めるための様々な特徴を含んでいる。例えば、先行技術は、非使用のときスタンドを運搬するためのコンパクトで概ね平らな形体に折り畳むことができる折畳式スタンドを教示する。従来からの卓上電動工具用スタンドは、電動工具を支えて、電動工具の運転中の頑強な支持のために電動工具を前記スタンドに固定するための特徴を含んでいる。
【０００３】
先行技術は、折畳式用具も教示しており、そこでは、折畳式用具が、折り畳まれた縦長の束の形で保管及び運搬可能であるように、折畳式用具の構造部材が、中心軸線の方に収束する。
【発明の開示】
【発明が解決しようとする課題】
【０００４】
本発明の目的は、十分コンパクトであるが卓上電動工具を支持するのに安定している卓上電動工具用折畳式スタンドを提供することである。
【課題を解決するための手段】
【０００５】
本発明の態様が、卓上電動工具用の折畳式スタンドを提供する。スタンドは、スタンドの中心軸線の周囲で離間された複数の脚を具備している。各々の脚は、電動工具を支持するように適合した上端と、スタンドの展開姿勢の際に下に横たわる支持表面に接触するための足部を形成する下端とを有する。スタンドは、連続する対の脚を相互接続するための横部材も含む。スタンドは、電動工具を支持するための姿勢に展開可能であり、またスタンドは折り畳み可能であり、そのとき脚と横部材とが中心軸線の方に集合的に折り畳まれる。脚と横部材とが折り畳まれるにつれて、構造部材の各々は中心軸線に平行な配向の方へ移動する。
【０００６】
本発明の別の態様は、折り畳まれた配向の形でスタンドを電動工具に確保し、そのことにより卓上電動工具及びスタンドの運搬を容易にする可搬式卓上電動工具を提供する。
【０００７】
本発明の別の態様において、スタンドは、卓上電動工具を搭載して支持するための複数の取付構造体を提供する。
【０００８】
本発明の上記の様態、他の様態、特徴、及び利点は、発明を実施するための最良の形態の以下の詳細な説明を添付図面と共に考察したとき直ぐ明らかになる。
【発明を実施するための最良の形態】
【０００９】
ここで図１を参照すると、本発明による折畳式スタンドの好適な実施例が、図示されて、全体として参照符号１０を付されている。折畳式スタンド１０は、図示されるように卓上電動工具を支持するために提供される。具体的には、好適な実施例の折畳式スタンドは、可搬式テーブルのこぎり盤１２を支持するために提供される。
【００１０】
テーブルのこぎり盤は、木工作業のような様々な作業において有用な電動工具であり、また典型的には、作業台スタンドへの据え付け用の固定脚を備えるか又は備えないかのいずれかである。固定脚の無いテーブルのこぎり盤は、テーブルのこぎり盤１２を所望の作業現場へ運搬するための高い可搬性を有する。在来のテーブルのこぎり盤１２は、のこぎり盤基部１４を含んでおり、前記のこぎり盤基部１４は、その中に配置されたモーターとスピンドル（非図示）とを有している。テーブル上板１６が、テーブルのこぎり盤１２の運転中に加工物を受容して支持するために、のこぎり盤基部１４に付加されている。のこ刃１８が、モーターによって駆動されるスピンドルに取り付けられており、また切断作業等を実施するためにテーブル上板１６に形成された開口をから一部が延びている。テーブルのこぎり盤１２は、従来のテーブルのこぎり盤に同様のものであって、マイタゲージを受容するためにテーブル上板に形成された縦方向スロット２０、及びのこ刃１８の角度調節及び切断深さ調節用の機構のような本技術分野で公知の特徴を含んでいる。
【００１１】
テーブルのこぎり盤１２が図示されて説明されるが、本発明は、例えばマイター鋸、ルータースタンド、糸鋸、かんな、往復スピンドルサンダ、又はその他同等のもののような、任意の卓上電動工具に折畳式スタンド１０を使用することを意図している。
【００１２】
ここで図２を参照すると、折畳式スタンド１０は、脚２２及び横部材２４を含む複数の構造部材から作られている。横部材２４は、脚２２を相互に接続する複数の回動リンク棒としてさらに定義される。脚２２は、一対の縦方向脚２６と一対の傾斜脚２８とを含んでいる。各々の脚２２は、その上にテーブルのこぎり盤１２を支持して搭載するための上端３０を含んでいる。各々の脚２２は、スタンドの展開された姿勢のときに下に横たわる支持表面に接触するための足部を形成する下端３２を含んでいる。脚２２は、スタンド１０の中心軸線３４の周りに離間されている。スタンド１０は、テーブルのこぎり盤１２を支持するために、図２の展開姿勢で図示されている。スタンドは、折り畳み可能でもあり、そのときは脚２２と横部材２４とが、中心軸線３４の方へ集合的に収束する。スタンド１０が折り畳まれるにつれて、脚２２と横部材２４は、中心軸線３４に平行な配向の方にそれぞれ移動する。
【００１３】
図３は、折り畳まれた配向のスタンド１０を図示している。スタンド１０は、構造部材が全て縦の束に収束されるので概ねコンパクトである。横部材２４と傾斜脚２８は、折り畳み様態の配向にそれぞれ移動され、前記折り畳み様態では、これら部材の各々は、スタンド１０の展開様態のときの傾斜された配向に比較して急な傾斜を有している。好適な実施例のスタンド１０の傾斜脚２８と横部材２４は、折り畳み姿勢のときに中心軸線３４に平行ではない。しかしながら、これら傾斜構造部材は、中心軸線３４に平行な配向の方へ移動し、その結果これら部材の傾斜を増大させ、またそのことによってそれらの横方向寸法を最小化して、十分にコンパクトな折畳式スタンドを提供する。
【００１４】
好適な実施例の折畳式スタンド１０は、二本の縦方向脚２６と、二本の傾斜脚２８と、六本の横部材２４とを含む。しかしながら、脚の任意の数及び組み合わせが本発明の範囲の中で考えられる。例えば、図２ａに示されたように、代替実施例の折畳式スタンド１０ａは、四本の縦方向脚２６と、縦方向脚２６の各連続する対を相互接続する二本の横部材２４即ち合計で八本の横部材２４とを含んでいる。例えば、別の代替実施例の折畳式スタンド１０ｂは、図２ｂに示されるように四本の傾斜脚２８を含んでいる。傾斜脚２８は、脚２２の一つとして及び横部材として機能し、またそれ故四本の傾斜脚２８を有する折畳式スタンドは、四本だけの横部材２４を必要とする。
【００１５】
ここで図４を参照すると、スタンド１０を折り畳み配向で緊締するためのストラップ３６が図示されている。具体的には、ストラップ３６は、フック表面３８とループ表面４０とを有するフック／ループ式材料から作られている。ストラップ３６は第一端４２を有しており、前記第一端４２は、スタンド１０の脚２２又は横部材２４の一つに取り付けられる。第一端４２はその中に開口を含んでおり、前記開口が、脚２２又は横部材２４の一つに固定されてその中に管状部材の一つを受容するか、又はストラップ３６の遠位第二端４４が、脚２２又は横部材２４の一つに巻きついてそこに第一端４２を確保するために、第一端４２の開口を貫通する。ストラップ３６は、第二端４４が折り畳まれた脚２２及び横部材２４の周りに横に巻き付けられ、また第二端４４がフック／ループ式噛み合いによって第一端４２に付着され、従ってスタンド１０をストラップ３６の中で締め付けて、可搬性及び運搬のためにスタンド１０を折り畳み配向に維持するように利用される。
【００１６】
ここで図５を参照すると、テーブルのこぎり盤１２が側面図で描かれている。ストラップ３６が、のこぎり盤基部１４に取り付けられて描かれており、可搬式テーブルのこぎり盤１２と折畳式スタンド１０とから構成される可搬式テーブルのこぎり盤組立体の統一された運搬のために、ストラップ３６により折畳式スタンド１０を可搬式のこぎり盤１２に取り付けている。代わりに、仮想線で描かれるように、可搬式テーブルのこぎり盤１２は、その中に形成されたネスト４６を折畳式スタンド１０を保持するために含むことがある。のこぎり盤基部１４が射出成形工程により成形され、またネスト４６が、テーブルのこぎり盤の対向する側壁を貫通して形成された一対の開口として設けられて、その開口をとおして折畳式スタンド１０を受容することが好ましい。もちろん、ネスト４６の開口は、モーター、トラニオン、又はのこぎり盤基部１４内に配置されたテーブルのこぎり盤１２の他の作動要素に対する干渉を回避している。
【００１７】
テーブルのこぎり盤１２は、のこぎり盤基部１４の下方周辺端部付近に形成された一連の第一取付構造体を含んでいる。折畳式スタンドは、対応する一連の第二取付構造体を含んでいる。ここで図６を参照すると、これらの特徴は、のこぎり盤基部１４の隅及び対応する脚上端３０の一つの部分断面を参照して説明される。脚上端３０はピボットブロック４８を含んでおり、前記ピボットブロック４８は、横部材２４に回動可能に接続されかつ脚２２に作動可能に接続されている。特定のピボットブロック４８に接続されている脚２２は、傾斜脚２８であって、それ故ピボットブロックに回動可能に接続されている。のこぎり盤基部１４は、各ピボットブロック４８から延びる対応する突出部５２を受容するための一連の穴５０を含んでいる。穴５０は、のこぎり盤基部１４内で上へ向かって止まり穴で形成されるか、又はのこぎり盤基部１４を貫通して形成されて、のこぎり盤基部１４を折畳式スタンド１０に取り付けるために、又はのこぎり盤基部１４を代わりの支持取付具に固定するために使用される。
【００１８】
ピボットブロック突出部５２の穴５０内での係合を維持するために、スタンド１０は、複数のロック機構５４を含んでおり、前記複数のロック機構５４は、のこぎり盤基部１４をスタンド１０に固定してのこぎり盤基部１４をスタンド１０に保持して、テーブルのこぎり盤１２の切断作業中の安定に固定された接続を提供するためのものである。ロック機構は、波形ばね５８に接続されたピン５６として図示されており、前記波形ばね５８は、ピボットブロック突出部５２を貫通して形成されている中央穴６０の中に収容されている。ピン５６は、波形ばねによって押しやられて、整列された一対の横穴６２、６４をとおって延在しており、前記整列された一対の横穴６２、６４は、のこぎり盤基部１４及びピボットブロック突出部５２をそれぞれ貫通して形成されている。
【００１９】
ロック機構５４は、のこぎり盤基部穴５０がピボットブロック突出部５２の上を滑ったとき、各のこぎり盤基部穴５０が、のこぎり盤基部横穴６２がピボットブロック突出部横穴６４に整列するまで対応するピン５６を内方へ押しやるように、従って波形ばね５８がピン５６を外方へのこぎり盤基部横穴６２を貫通して押しやることを可能にするように作動し、かくしてのこぎり盤基部の夫々の隅をピボットブロック４８にロックする。ロック機構５４のロックを解除するためには、使用者は、ピン５６を内側に押して、のこぎり盤基部１４をピボットブロック突出部５２から取り除くだけである。
【００２０】
ここで図２及び図６〜８を参照して、脚２２及び横部材２４の接続が更に詳細に論述される。図７を詳細に参照すると、ピボットブロック４８は二つのピボットマウント６６、６８を含んでおり、前記二つのピボットマウント６６、６８は、そこに一対の連続するリンク棒上端を回動可能に取り付けるためのものである。例えば、ピボットマウント６６、６８は、連続する一対の横部材上端７０に回動可能に接続されるか、又はピボットマウント６６、６８は、一つの横部材上端７０及び傾斜脚２８の一本の上端７２に接続されてもよい。ピボットブロック４８は、その中に形成されたポケット７４も含んでいる。ピボットブロック４８が一対の横部材上端７０に回動可能に接続されたとき、ポケット７４は縦方向脚２６の上端７６を受容する。
【００２１】
ここで図８を参照すると、横部材２４の一本及び傾斜脚２８の一本を回動可能に接続するための下方ピボットブロック７８が描かれている。下方ピボットブロック７８は、横部材２４の下端８２との回動可能な接続のためのピボットマウント８０を含んでいる。下方ピボットブロック７８は、傾斜脚２８の一本の下端８６との回動可能な接続のためのピボットマウント８４も含んでいる。スロット８８が、ピボットマウント８４と整列するように下方ピボットブロック７８を貫通して形成され、その結果傾斜脚２８は、下方ピボットブロック７８を通り抜け可能となり、また脚下端３２における足部を形成するためにピボットブロック７８との回動可能な接続を有する。
【００２２】
図２を再び参照すると、各横部材２４は、その中間部位９０において隣接する横部材２４の中間部位９０に回動可能に接続されている。一対の傾斜脚２８は、その夫々の中間部位９２において互いに回動可能に接続されている。全ての連続するリンク棒上端７０又は７２、及び隣接するリンク棒中間部位９０又は９２、及び連続するリンク棒下端８２又は８６の回動可能な相互接続に起因して、スタンド１０は、中心軸線３４の周りでの脚２２及び横部材２４の均一な展開及び収縮を提供するリンク機構組立体として形成される。
【００２３】
この均一な展開及び収縮に起因して、縦方向脚２６と連合している下方ピボットブロックが滑動ブロック９４として更に定義される。滑動ブロック９４の上面図は、図７に示されたピボットブロック４８の下面図に同様である。滑動ブロック９４は、一対の連続する横部材下端８２との回動可能な接続のために一対のピボットマウント６６、６８を含んでいる。更に、滑動ブロック９４は、凹部７４と整列した貫通穴を含んでおり、前記貫通穴は、その中に縦方向脚２６を滑動可能に受容するためのものである。従って、折畳式スタンドが図２に示される配向から図３に示される配向に折り畳まれるとき、滑動ブロック９４は、縦方向脚２６に沿って縦方向に脚下端３２の方へ滑動可能であり、またスタンド１０が展開されるとき、滑動ブロック９４は、縦方向脚２６に沿って縦方向に脚上端３０の方へ滑動可能である。
【００２４】
図２ａを参照すると、縦方向脚２６を有する折畳式スタンド１０ａの一つの展開は、ストップブロック９６によって制限され、前記ストップブロック９６は各々が縦方向脚２６の一つに取り付けられている。折畳式スタンド１０ａが展開するとき、各滑動ブロック９４がストップブロック９６に当接する。ストップブロック９６は各々が調節ねじ（非図示）を含んでおり、前記調節ねじは、夫々の縦方向脚２６に沿う配向を使用者が調節することを可能にする。ストップブロック９６は、折畳式スタンド１０ａの展開を、突出部５２がテーブルのこぎり盤１２の穴５０の配置に整列するところの配向に制限する。ストップブロック９６の調節可能性により、スタンドが、様々な穴配置を有する様々な工具のために調節可能にされる。展開を制限するためにただ一つのストップブロック９６が必要とされるが、複数のストップブロック９６が、電動工具の支持についての安定性を高める。
【００２５】
要約すると、本発明は、構造部材が中心軸線３４の方に収束するように縦の束に折り畳むことができ、そのことによって、軽量で費用効果の高い卓上電動工具支持用可搬型スタンドを提供する折畳式スタンド１０を提供する。
【００２６】
本発明の実施例が、図示されて説明されてきたが、これら実施例が本発明の全ての可能な形態を図示及び記載しているとは意図されていない。そうではなく、本明細書で使用される言葉は、限定ではなく説明の言葉であり、また本発明の精神と範囲から逸脱することなく様々な変更が可能であることが理解されるべきである。
【図面の簡単な説明】
【００２７】
【図１】図１は、本発明による卓上電動工具用折畳式スタンドの斜視図であって、折畳式スタンドが、卓上電動工具を支持する展開された配向で示された図である。
【図２】図２は、図１の折畳式スタンドの別の斜視図であって、やはりスタンドの展開された姿勢を示す図である。
【図２ａ】図２ａは、本発明による折畳式スタンドの代替実施例の斜視図であって、前記スタンドの展開された姿勢を示す図である。
【図２ｂ】図２ｂは、本発明による折畳式スタンドの別の代替実施例の斜視図であって、前記スタンドの展開された姿勢を示す図である。
【図３】図３は、図１の折畳式スタンドの側面斜視図であって、前記スタンドの折り畳まれた配向を描いた図である。
【図４】図４は、本発明のスタンドと共に使用されるストラップの平面図である。
【図５】図５は、図１の卓上電動工具の側面図である。
【図６】図６は、図１の折畳式スタンドの部分断面図である。
【図７】図７は、図１の折畳式スタンドのピボットブロックの下面図である。
【図８】図８は、図１の折畳式スタンドの別のピボットブロックの上面図である。
【符号の説明】
【００２８】
１０    折畳式スタンド
２２    脚
２４    横部材
２６    縦方向脚
２８    傾斜脚
３０    上端
３２    下端
４８    ピボットブロック
７８    下方ピボットブロック
５２    突出部
【図１】
2005131780.tif 000003
【図２】
2005131780.tif 000004
【図２ａ】
2005131780.tif 000005
【図２ｂ】
2005131780.tif 000006
【図３】
2005131780.tif 000007
【図４】
2005131780.tif 000008
【図５】
2005131780.tif 000009
【図６】
2005131780.tif 000010
【図７】
2005131780.tif 000011
【図８】
2005131780.tif 000012
【手続補正書】
【提出日】平成16年11月15日(2004.11.15)
【手続補正１】
【補正対象書類名】図面
【補正対象項目名】全図
【補正方法】変更
【補正の内容】
【図１】
2005131780.tif 000013
【図２】
2005131780.tif 000014
【図２ａ】
2005131780.tif 000015
【図２ｂ】
2005131780.tif 000016
【図３】
2005131780.tif 000017
【図４】
2005131780.tif 000018
【図５】
2005131780.tif 000019
【図６】
2005131780.tif 000020
【図７】
2005131780.tif 000021
【図８】
2005131780.tif 000022
【外国語明細書】
2005131780000001.pdf